(57)【要約】      （修正有）【課題】  マニュアル間の関連度の重み付けの変更を可能とし、リンクの内容や順番を変えることができるシステム及び方法を提供する。【解決手段】  作業に必要な電子マニュアルを有する個別ハンドブックを作成し、ネットワーク３を介して接続したクライアント機器２１に個別ハンドブックを送信する個別ハンドブック作成システムであって、マニュアル管理サーバ１１は、作業スケジュールデータベース１３から作業内容と作業時間とを抽出する機能と、抽出した作業時間内に利用した複数の電子マニュアル間の関連度を決定する機能と、個別ハンドブックを作成する際に、マニュアル関連度データベースに記憶した関連度を用いて、関連する電子マニュアル箇所にリンクを付与する機能と、クライアント機器２１における個別ハンドブックのリンクの利用時間から関連度の重み付けを変更する機能とを有する。【選択図】        図１
2006338240.tif 000002
【特許請求の範囲】
【請求項１】
マニュアル管理サーバと、複数の電子マニュアルを保存するマニュアルデータベースと、作業内容と作業時間を記憶する作業スケジュールデータベースと、複数の電子マニュアル間の関連度を記憶するマニュアル関連度データベースとからなり、作業に必要な電子マニュアルを有する個別ハンドブックを作成し、ネットワークを介して接続したクライアント機器に個別ハンドブックを送信する個別ハンドブック作成システムであって、
前記マニュアル管理サーバは、前記作業スケジュールデータベースから作業内容と作業時間とを抽出する機能と、抽出した作業時間内に利用した複数の電子マニュアル間の関連度を決定する機能と、個別ハンドブックを作成する際に、マニュアル関連度データベースに記憶した関連度を用いて、関連する電子マニュアル箇所にリンクを付与する機能と、前記クライアント機器における個別ハンドブックのリンクの利用時間から関連度の重み付けを変更する機能とを有することを特徴とする個別ハンドブック作成システム。
【請求項２】
請求項１記載の個別ハンドブック作成システムにおいて、
前記マニュアル管理サーバは、電子マニュアルのバージョン変更に対応し、マニュアル関連度データベースに記憶する電子マニュアルのバージョン情報を書き換えてリンクを維持する機能を有することを特徴とする個別ハンドブック作成システム。
【請求項３】
請求項１又は２に記載の個別ハンドブック作成システムにおいて、
前記マニュアル管理サーバは、前記クライアント機器から作業名を指定した個別ハンドブック作成要求を受信すると、作業内容及び関連度から、しきい値を超えた関連度の電子マニュアルを選択して個別ハンドブックを作成する機能を有することを特徴とする個別ハンドブック作成システム。
【請求項４】
複数の電子マニュアルを保存するマニュアルデータベースと、作業内容と作業時間を記憶する作業スケジュールデータベースと、複数の電子マニュアル間の関連度を記憶するマニュアル関連度データベースとで、個別ハンドブック作成システムを構成し、作業に必要な電子マニュアルを有する個別ハンドブックを作成し、ネットワークを介して接続したクライアント機器に個別ハンドブックを送信するマニュアル管理サーバであって、
前記作業スケジュールデータベースから作業内容と作業時間とを抽出する機能と、抽出した作業時間内に利用した複数の電子マニュアル間の関連度を決定する機能と、個別ハンドブックを作成する際に、マニュアル関連度データベースに記憶した関連度を用いて、関連する電子マニュアル箇所にリンクを付与する機能と、前記クライアント機器における個別ハンドブックのリンクの利用時間から関連度の重み付けを変更する機能とを有することを特徴とするマニュアル管理サーバ。
【請求項５】
マニュアル管理サーバと、複数の電子マニュアルを保存するマニュアルデータベースと、作業内容と作業時間を記憶する作業スケジュールデータベースと、複数の電子マニュアル間の関連度を記憶するマニュアル関連度データベースとを使用して、作業に必要な電子マニュアルを有する個別ハンドブックを作成し、ネットワークを介して接続したクライアント機器に個別ハンドブックを送信する個別ハンドブック作成方法であって、
前記作業スケジュールデータベースから作業内容と作業時間とを抽出することと、抽出した作業時間内に利用した複数の電子マニュアル間の関連度を決定することと、個別ハンドブックを作成する際に、マニュアル関連度データベースに記憶した関連度を用いて、関連する電子マニュアル箇所にリンクを付与することと、前記クライアント機器における個別ハンドブックのリンクの利用時間から関連度の重み付けを変更することとを有することを特徴とする個別ハンドブック作成方法。
【発明の詳細な説明】
【技術分野】
【０００１】
本発明は、個別ハンドブック作成システム及びマニュアル管理サーバと作成方法であり、特に複数の電子マニュアルから必要なマニュアルを使用して個別ハンドブックを作成するシステム及び方法に関する。
【背景技術】
【０００２】
保守作業を行うために、複数のマニュアルを参照しなければならない場合がある。しかし、作業者によっては各マニュアルのどの部分が関連しているか把握しておらず、作業に必要な部分を見つけるために時間がかかったり、重要な部分を見落としたりする可能性があった。
【０００３】
従来、メモリ付リンク情報を用いたり、参照回数を利用して優先的に検索することが提案されている（特許文献１、２参照）が、マニュアル間の関連度の重み付けの変更を考慮していなかった。
【特許文献１】特開平９−２０４３５１号公報
【特許文献２】特開２００１−２１６３１６号公報
【発明の開示】
【発明が解決しようとする課題】
【０００４】
本発明は、従来の問題を解決するものであり、マニュアル間の関連度の重み付けの変更を可能とし、リンクの内容や順番を変えることができるシステム及び方法を提供することを目的とする。
【課題を解決するための手段】
【０００５】
本発明は、マニュアル管理サーバと、複数の電子マニュアルを保存するマニュアルデータベースと、作業内容と作業時間を記憶する作業スケジュールデータベースと、複数の電子マニュアル間の関連度を記憶するマニュアル関連度データベースとからなり、作業に必要な電子マニュアルを有する個別ハンドブックを作成し、ネットワークを介して接続したクライアント機器に個別ハンドブックを送信する個別ハンドブック作成システムであって、前記マニュアル管理サーバは、前記作業スケジュールデータベースから作業内容と作業時間とを抽出する機能と、抽出した作業時間内に利用した複数の電子マニュアル間の関連度を決定する機能と、個別ハンドブックを作成する際に、マニュアル関連度データベースに記憶した関連度を用いて、関連する電子マニュアル箇所にリンクを付与する機能と、前記クライアント機器における個別ハンドブックのリンクの利用時間から関連度の重み付けを変更する機能とを有する個別ハンドブック作成システムである。
【０００６】
また、本発明は、前記マニュアル管理サーバは、電子マニュアルのバージョン変更に対応し、マニュアル関連度データベースに記憶する電子マニュアルのバージョン情報を書き換えてリンクを維持する機能を有する個別ハンドブック作成システムである。
【０００７】
そして、本発明は、前記マニュアル管理サーバは、前記クライアント機器から作業名を指定した個別ハンドブック作成要求を受信すると、作業内容及び関連度から、しきい値を超えた関連度の電子マニュアルを選択して個別ハンドブックを作成する機能を有する個別ハンドブック作成システムである。
【０００８】
更に、本発明は、複数の電子マニュアルを保存するマニュアルデータベースと、作業内容と作業時間を記憶する作業スケジュールデータベースと、複数の電子マニュアル間の関連度を記憶するマニュアル関連度データベースとで、個別ハンドブック作成システムを構成し、作業に必要な電子マニュアルを有する個別ハンドブックを作成し、ネットワークを介して接続したクライアント機器に個別ハンドブックを送信するマニュアル管理サーバであって、前記作業スケジュールデータベースから作業内容と作業時間とを抽出する機能と、抽出した作業時間内に利用した複数の電子マニュアル間の関連度を決定する機能と、個別ハンドブックを作成する際に、マニュアル関連度データベースに記憶した関連度を用いて、関連する電子マニュアル箇所にリンクを付与する機能と、前記クライアント機器における個別ハンドブックのリンクの利用時間から関連度の重み付けを変更する機能とを有するマニュアル管理サーバである。
【０００９】
また、本発明は、マニュアル管理サーバと、複数の電子マニュアルを保存するマニュアルデータベースと、作業内容と作業時間を記憶する作業スケジュールデータベースと、複数の電子マニュアル間の関連度を記憶するマニュアル関連度データベースとを使用して、作業に必要な電子マニュアルを有する個別ハンドブックを作成し、ネットワークを介して接続したクライアント機器に個別ハンドブックを送信する個別ハンドブック作成方法であって、前記作業スケジュールデータベースから作業内容と作業時間とを抽出することと、抽出した作業時間内に利用した複数の電子マニュアル間の関連度を決定することと、個別ハンドブックを作成する際に、マニュアル関連度データベースに記憶した関連度を用いて、関連する電子マニュアル箇所にリンクを付与することと、前記クライアント機器における個別ハンドブックのリンクの利用時間から関連度の重み付けを変更することとを有する個別ハンドブック作成方法である。
【発明の効果】
【００１０】
本発明によれば、マニュアル間の関連度の重み付けの変更を可能とし、リンクの内容や順番を変えることができるシステムを得ることができる。
【発明を実施するための最良の形態】
【００１１】
本発明を実施するための最良の形態を説明する。
本発明の個別ハンドブック作成システム及びマニュアル管理サーバと作成方法の実施例について、図面を用いて説明する。
【実施例１】
【００１２】
実施例１を説明する。本実施例の個別ハンドブック作成システムは、図１に示すように、マニュアル管理サーバ１１、マニュアルＤＢ（データベース）１２、作業スケジュールＤＢ１３、マニュアル関連度ＤＢ１４からなり、ネットワーク３を介して、クライアント機器２１と接続される。
【００１３】
マニュアル管理サーバ１１は、サービスセンタに設置され、作業スケジュールＤＢ１３から作業内容と作業時間とを抽出し、抽出した作業時間内に利用した複数の電子マニュアル間の関連度を決定し、個別ハンドブックを作成する際に、マニュアル関連度ＤＢ１４に記憶した関連度を用いて、関連する電子マニュアル箇所にリンクを付与し、また、クライアント機器２１における個別ハンドブックのリンクの利用時間から関連度の重み付けを変更する。また、マニュアル管理サーバ１１は、電子マニュアルのバージョン変更に対応し、マニュアル関連度ＤＢ１４に記憶する電子マニュアルのバージョン情報を書き換えてリンクを維持し、クライアント機器３から作業名を指定した個別ハンドブック作成要求を受信すると、作業内容及び関連度から、しきい値を超えた関連度の電子マニュアルを選択して個別ハンドブックを作成する。
【００１４】
マニュアルＤＢ１２は、複数の電子マニュアルを保存する。作業スケジュールＤＢ１３は、作業内容及び作業時間を記憶する。マニュアル関連度ＤＢ１４は、複数の電子マニュアル間の関連度を記憶する。
【００１５】
実施例における個別ハンドブック作成手順の一例について、図１を用いて説明する。
（１）マニュアル管理サーバ１１は、マニュアルＤＢ１２から作業内容、作業時間を抽出する。
（２）マニュアル管理サーバ１１は、関連度の決定を行い、作業内容、関連度、バージョンを、マニュアル関連度ＤＢ１４に保存する。
（３）マニュアル管理サーバ１１は、参照するマニュアル及びリンク先を有するハンドブックをクライアント機器２１に送信し、クライアント機器２１はこれらを表示する。
（４）マニュアル管理サーバ１１は、クライアント機器２１からリンクの利用時間を受信し、関連度の重み付けを変更する。
（５）マニュアル管理サーバ１１は、電子マニュアルのバージョン変更に応じ、マニュアルのバージョン情報を書き換える。
（６）マニュアル管理サーバ１１は、関連度の重み付けを変更して新しい個別ハンドブックを作成する。
【００１６】
実施例における関連度の重み付けの変更について、図２及び図３を用いて説明する。関連度は、電子マニュアルの関連性を示す値であり、値が大きいほど、関連性が高いものとする。関連度の範囲は、０〜１０とし、初期値は０とする。次に、関連度の重み付けの変更を説明する。例えば作業時間内に利用された複数のマニュアルに関連度として“５”が割り当てられるとする。マニュアル毎にマニュアルを読むのに必要な時間を「基準時間」として、あらかじめ設定しておく。基準時間と実際に利用したマニュアルの利用時間を以下の式で比較する。
評価値＝実利用時間／基準時間
次に、得られた評価値を、図２に示す図表を使用し、対応する関連度に変換する。例えば、マニュアルＡからマニュアルＢ（基準時間：１０分）の関連度が５のとき、ＡのリンクからＢを１３分利用した場合、
評価値＝１３／１０＝１．３
関連度＝５＋１＝６
となる。したがって、関連度の変更が行われ、マニュアルＡからマニュアルＢの新しい関連度は６になる。
【００１７】
実施例における基準時間について、補足する。図３に示すように、基準時間を利用者毎のマニュアルの利用回数に応じて変化させる。グラフに示すように、ある利用回数（Ｘ回）までは基準時間が減少し、利用回数がＸ回以上の場合は基準時間を一定に保つようにすることで、利用者がマニュアルに慣れることで１回当たりの利用時間が減少する場合にも対応することができる。また、Ｘ回の回数の設定と、Ｘ回までの基準時間の減少率を変化させることで、よく利用するマニュアル（図３ａ参照）とあまり利用しないマニュアル（図３ｂ参照）に対応することができる。
【００１８】
実施例における関連度の重み付けの変更手順の一例について、図４を用いて説明する。まず、スタートし（Ｓ１００）、作業スケジュールＤＢ１３から作業内容、作業時間の情報を抽出する（Ｓ１０１）。関連度が設定されているか判断し（Ｓ１０２）、設定されていないとステップＳ１３１に進み、設定されていると、関連度が高い順にリンクを作成する（Ｓ１１１）。次に、リンクを使用したか判断し（Ｓ１１２）、使用しないとステップＳ１３１に進み、使用していると、リンク先のマニュアルの利用時間に応じて関連度の重み付けを変更し（Ｓ１２１）、終了となる（Ｓ１４１）。ステップＳ１３１では、抽出した作業時間内に利用したマニュアル同士に関連度を設定し（Ｓ１３１）、終了となる（Ｓ１４１）。このようにして、関連度の重み付けの変更を行うことができる。
【００１９】
以上実施例で説明したが、本発明の特徴は、以下の通りである。
（１）自動的にリンクが作成されるので、設定の手間が少ない。
（２）関連リンクを利用した際に、利用時間でマニュアルの関連度の重み付けが変更されるので、関連の高いマニュアルを見つけやすい。
（３）マニュアルのバージョンが変更されても、リンクが維持される。
（４）特定作業向けのハンドブックの自動生成が可能である。
（５）単純に利用回数が多い場合には関連度を高くし、利用回数が少ない場合に関連度を低くすると、本来あまり関係ないマニュアルを誤って利用した場合も関連度が高くなり、関連度の精度が下がってしまう。それに対し、本発明のようにマニュアルの利用時間を用いると、誤って利用したマニュアルは短時間で利用を取りやめるので、利用時間が短くなり、関連度も低く設定できる。
（６）関連度の重み付けの変更方法の具体例に示すように、基準時間を利用回数に応じて変化させることで、マニュアルを普段からよく利用するユーザと、初めて利用するユーザの利用時間の違いに対応した関連度の変更を行うことができる。
（７）マニュアルの利用回数に対する基準時間の減少率を変化させることで、マニュアルの利用頻度に対応した基準時間の設定を行うことができる。
（８）別のユーザの利用結果によって、関連度が変更され、マニュアルのリンクが作成されるので、初めて利用するユーザでも、関連するマニュアルがどれか用意に判断することができる。
【図面の簡単な説明】
【００２０】
【図１】実施例の個別ハンドブック作成システムの説明図。
【図２】実施例における評価値と関連度の対応の説明図。
【図３】実施例における基準時間の説明図。
【図４】実施例における関連度の重み付け変更の手順の説明図。
【符号の説明】
【００２１】
１１  マニュアル管理サーバ
１２  マニュアルＤＢ
１３  作業スケジュールＤＢ
１４  マニュアル関連度ＤＢ
２１  クライアント機器
３  ネットワーク
【図１】
2006338240.tif 000003
【図２】
2006338240.tif 000004
【図３】
2006338240.tif 000005
【図４】
2006338240.tif 000006